(57)【要約】      （修正有）【課題】放出する流体の流動を利用して揺動させながら放出する事のできる移動流体の放出具であり、揺動方向に対して交差する向きに幅広く流体を放出することができる移動流体の放出具を提供する。【解決手段】移動する流体を放出する為の移動流体の放出具１０であって、放出する流体の流動によって回動する回転羽根車１４やタービン、流体の圧力を受けて傾倒し、バネの弾性力によって復元する揺動機構、又はピストンやシリンダーによって構成される往復移動機構からなる動力取得部と、動力取得部の回動、揺動又は往復移動によって揺動する放出ノズル１６とからなり、動力取得部を回動、揺動又は往復移動させた流体は、放出ノズル１６から放出される。【選択図】図１
0003228290.tif 000002
【実用新案登録請求の範囲】
【請求項１】
移動する流体を放出する為の移動流体の放出具であって、
放出する流体の流動によって回動、揺動又は往復移動される動力取得部と、
当該動力取得部の回動、揺動又は往復移動によって揺動する放出ノズルとからなり、
前記動力取得部を回動、揺動又は往復移動させた流体は、前記放出ノズルから放出されることを特徴とする移動流体の放出具。
【請求項２】
前記流体は水であって、
前記動力取得部は、流動水によって回動する回転羽根車であって、
前記放出ノズルは前記回転羽根車の回転力によって揺動する、請求項１に記載の移動流体の放出具。
【請求項３】
更に、前記回転羽根車の回転力を取得する第１シャフトに設けた第１円筒ウォームと、当該第１ウォームと噛み合う第１ウォームホイールが設けられた第２シャフトと、当該第２シャフトに設けられた第２円筒ウォームと、当該第２ウォームと噛み合う第２ウォームホイールとからなる動力伝達機構と、
前記第２ウォームホイールの回転面の周縁側に突起して設けられた揺動ピンと、当該揺動ピンがスライド移動する長孔を備え、当該第２ウォームホイールの回動によって揺動する揺動杆とからなる動力変換機構と、
当該動力変換機構の揺動する先端側に設けられ、前記流動する水を揺動方向に交差する向きの帯状に放出する放出ノズルとからなる、請求項１に記載の移動流体の放出具。
【請求項４】
前記放出ノズルには、流体を放出する放出口の開口面積及び形状を変化させる放出口調整機構が設けられている、請求項１〜３の何れか一項に記載の移動流体の放出具。
【請求項５】
請求項１〜４の何れか一項に記載の移動流体の放出具を用いて形成され、
前記流体としてホース及び／又はパイプからなる管によって供給される水が使用され、
前記移動流体の放出具の動力取得部に対して前記管によって供給される水を案内する水案内部を備えることを特徴とする、消雪用散水具。
【考案の詳細な説明】
【技術分野】
【０００１】
本考案は水などの液体や、ガスなどの気体、或いはゲルなどの半流動体を含む移動流体を揺動させながら放出する放出具に関し、特に当該揺動は放出される流体の流動エネルギーを利用して行われるようにした移動流体の放出具に関する。
【背景技術】
【０００２】
従来、配管やホースなどで供給される水や気体などを放出する為に、各種の放出具が利用されている。かかる放出具は特定の方向にのみ流体を放出するノズルとして提供されることもあれば、スプリンクラーなどの様に流体の放出方向を任意又はランダムに変更する事のできるものも提供されている。
【０００３】
特に旋回型の散水装置については、特許文献１（実開昭６３−３０７９４号公報）が提案されており、この文献では、垂直方向の給水管の上端に数本の放射状に伸びる散水管を装備したスプリンクラーヘツドが、給水管上端軸線に対して旋回自在に装備してある冷却塔における散水装置において、スプリンクラーヘツドには給水管より吐出する給水流の全部乃至一部が当る数枚の回転羽根がその垂直軸線周りに固設してある冷却塔における散水装置を提案している。
【０００４】
また特許文献２（特開平９−２１５７６９号公報）では、消火用散水ノズルにおいて、消火能力を高め、放射量を小さくして水害の被害を小さくし、ポンプなどの容量を小容量としてコストを低減するべく、消火液または水が圧送される消火用配管に消火用散水ノズルを接続し、火災時に消火液または水を散水する際に、スリットを備えたノズル部をモータで回転することで、散布パターンを所定の防護範囲内で移動して走査する消火用散水ノズルを提案している。
【０００５】
そして特許文献３（実開昭６０−２５７４５号公報）は、ガスを噴射するガスワイピングノズルに関し、その先端部の上あご又は下あごのうち少なくとも一つをノズル本体と切離して別体とし、この切離したあごを摺動または回動できるようにノズル本体に繋合せしめて、ノズルのガス排出スリット巾を調整可能とすることが提案されている。
【先行技術文献】
【特許文献】
【０００６】
【特許文献１】実開昭６３−３０７９４号公報
【特許文献２】特開平９−２１５７６９号公報
【特許文献３】実開昭６０−２５７４５号公報
【考案の概要】
【考案が解決しようとする課題】
【０００７】
上述の通り、液体や気体などの流体放出する為のノズルに関し、回転羽を利用して放出するもの、ノズル部をモータで回転させるもの、およびノズルのガス排出スリット幅を調整可能とするものが提案されている。しかしながら、液体や気体などの流動体を揺動させながら放出する為には、前記特許文献２に示されるようにモータなどの動力源を別途用意する必要があった。また、流体の流動エネルギーを利用して流体の放出方向を変化させようとしても、前記特許文献１に示されているように周回方向（即ち円形）に成らざるを得なかった。
【０００８】
そこで本考案では、水などの液体やガスなどの気体などの流体を放出する為の放出具であって、放出する流体の流動を利用して揺動させながら放出する事のできる移動流体の放出具を提供することを第１の課題とする。
【０００９】
また本考案では、揺動方向に対して交差する向きに幅広く流体（特に水）を放出することができ、広範囲に消雪を行う事のできる、前記移動流体の放出具を用いた消雪用散水具を提供することを別の課題とする。
【課題を解決するための手段】
【００１０】
前記課題の少なくとも何れかを解決する為に、本考案では供給される流体の流動エネルギーを利用して、流体を放出する放出ノズルを揺動させるように構成した移動流体の放出具と、これを用いた消雪用散水具を提供する。
【００１１】
即ち本考案では、移動する流体を放出する為の移動流体の放出具であって、  放出する流体の流動によって回動、揺動又は往復移動される動力取得部と、  当該動力取得部の回動、揺動又は往復移動によって揺動する放出ノズルとからなり、前記動力取得部を回動、揺動又は往復移動させた流体は、前記放出ノズルから放出される移動流体の放出具を提供する。
【００１２】
かかる本考案の移動流体の放出具において、流体は水などの気体や、ガスなどの気体、及びゲルなどの半流動体であって良いが、特に散水を目的とする場合には、水が使用される。
【００１３】
また、前記動力取得部は、移動流体の運動エネルギーによって回動、揺動又は往復移動するものとして構成され、回動する場合には回転羽根車やタービンを使用することができ、揺動する場合には流体の圧力を受けて傾倒し、バネ等の弾性力によって復元する揺動機構を利用することができ、往復移動する場合にはピストンとシリンダー等によって構成することができる。
【００１４】
特に前記流体として水を使用し、動力取得部として流動水によって回動する回転羽根車を使用した場合には、前記放出ノズルは前記回転羽根車の回転力によって揺動させることができる。
【００１５】
より具体的には、前記回転羽根車の回転力を取得する第１シャフトに設けた第１円筒ウォームと、当該第１ウォームと噛み合う第１ウォームホイールが設けられた第２シャフトと、当該第２シャフトに設けられた第２円筒ウォームと、当該第２ウォームと噛み合う第２ウォームホイールとからなる動力伝達機構と、前記第２ウォームホイールの回転面の周縁側に突起して設けられた揺動ピンと、当該揺動ピンがスライド移動する長孔を備え、当該第２ウォームホイールの回動によって揺動する揺動杆とからなる動力変換機構と、当該動力変換機構の揺動する先端側に設けられ、前記流動する水を揺動方向に交差する向きの帯状に放出する放出ノズルとで構成することができる。
【００１６】
また、上記本考案に係る移動流体の放出具では、前記放出ノズルには、流体を放出する放出口開口面積及び形状を変化させる放出口調整機構を設けることが望ましい。かかる放出口調整機構は、放出口に板状の間詰部材を嵌入する他、放出口の大きさや形状を形作る板材を、適宜変更する事によって行うことができる。
【００１７】
また本考案では、前記課題の少なくとも何れかを解決する為に、上記本考案に係る移動流体の放出具を用いて形成した、消雪用散水具を提供する。即ち、前記本考案に係る移動流体の放出具において、前記流体としてホース及び／又はパイプからなる管によって供給される水を使用し、前記移動流体の放出具の動力取得部に対して前記管によって供給される水を案内する水案内部を設けた消雪用散水具である。
【００１８】
かかる消雪用散水具によれば、放出される水は揺動する放出ノズルから放出されることから、広い範囲において消雪を実現することができる。特に、当該放出ノズルが揺動方向に交差する向きの帯状に放出する場合には、より広い範囲の雪を散水によって溶かすことができる。
【考案の効果】
【００１９】
本考案の移動流体の放出具は、放出する流体の流動によって回動、揺動又は往復移動される動力取得部と、当該動力取得部の回動、揺動又は往復移動によって揺動する放出ノズルとからなり、前記動力取得部を回動、揺動又は往復移動させた流体は、前記放出ノズルから放出するように構成している。その結果、水などの液体やガスなどの気体などの流体を放出する為の放出具であって、放出する流体の流動を利用して揺動させながら放出する事のできる移動流体の放出具とすることができる。
【００２０】
更にかかる本考案の移動流体の放出具において水を散水することにより、揺動方向に対して交差する向きに幅広く流体（特に水）を放出することができ、広範囲に消雪を行う事のできる、前記移動流体の放出具を用いた消雪用散水具とすることができる。
【図面の簡単な説明】
【００２１】
【図１】本実施の形態に係る散水具を示す分解斜視図
【図２】図１に示した散水具の内部構成図
【図３】図１に示した散水具の動作を示す略図
【図４】図１に示した散水具の（Ａ）羽根車側内部構成図、（Ｂ）動力変換機構側内部構成図、（Ｃ）平面方向内部構成図
【図５】他の実施の形態に係る散水具の内部構成図
【考案を実施するための形態】
【００２２】
以下、図面を参照しながら、本実施の形態にかかる移動流体の放出具を具体的に説明する。特に本実施の形態は、流体が水であって、散水に適した移動流体の放出具としたものであり、以下では散水具１０として説明する。
【００２３】
図１は本実施の形態に係る散水具１０を示す分解斜視図であり、図２は当該散水具１０の内部構成図であり、図３は当該散水具１０の動作を示す略図であり、図４は当該散水具１０の（Ａ）羽根車側内部構成図、（Ｂ）動力変換機構側内部構成図、（Ｃ）平面方向内部構成図であり、図５は他の実施の形態に係る散水具１０の内部構成図を示している。
【００２４】
図１に示す様に、本実施の形態に係る散水具１０は、略立方体形状の筐体１１を用いて形成しており、その下面には、ホースその他の給水管（図示せず）が接続されて、散水する水が供給される導水口１２が形成されており、本実施の形態ではワンタッチカプラー（又はジョイント）を接続できる形状に形成している。
【００２５】
図２に示す様に、前記導水口１２から案内された水が通る閉じられた通水路１３には、図示するような羽根車１４を設けており、これは案内された水の圧力を受けて回転することができる。かかる羽根車１４は水の圧力を受けて運動エネルギーを取得できればよく、当該羽根車１４に限定することなく使用することができる。よって例えばタービンも使用することができる他、案内される水の流れをバルブ等で制御して内燃機関と同じようにして回転力を取得するように構成することもできる。更には、水の圧力を受けて揺動すると共に、バネ等の弾性力によって復元するような揺動機構として形成することもできる。
【００２６】
そして上記導水口１２から案内され、羽根車１４を回動させた水は、その後チューブ１５を通って、筐体１１の正面に設けられた散水ノズル１６（他の流体であれば、放出ノズル）に案内され、ここから放出される。
【００２７】
前記チューブ１５は筐体内に設けた配管や流路によって代用することができ、必ずしもチューブ１５で形成する必要はない。但し、前記散水ノズル１６は、本実施の形態において図１の上下方向に揺動することから、当該揺動に追従することができるように、柔軟性を有するホースを用いて形成するのが望ましい。
【００２８】
前記図１の上下方向に揺動する散水ノズル１６は、本実施の形態ではチューブが接続される分流器１６として形成されており、これは案内された水を任意の幅で放出する為の流出溝１７を備えた散水アタッチメント１８を伴って構成されている。かかる散水アタッチメント１８は、散水する水の幅や厚さ又はパターンを調整する為に機能することができ、本実施の形態では板体の表裏に異なる形状の溝（流出溝１７）を形成しており、何れの面の溝１７で散水するかによって、散水する水の幅や厚さなどを変えることができる。更に、当該流出溝１７を幅方向に整列する複数の状列として構成した場合には、シャワー状に水を放出することができる。但し、散水ノズル１６の開口径や形状を変化させる事のできるアジャスターを前記分流器１６の排水口に設けることによっても、散水する水の形状を変えることができる。例えば広い幅で散水する場合には、前記流出溝（散水口）を幅広く形成することができ、また狭い範囲で勢いよく散水する場合には、前記流出溝（散水口）の幅を狭く形成することができる。
【００２９】
図３を参照しながら、本実施の形態に係る散水具１０の動作を説明する。図１において上下方向に揺動する散水ノズル１６を備えた散水具１０は、図３（Ａ）に示す様に上下方向に散水できるように設置する他、当該散水具１０を横向きに設置する事で、図３（Ｂ）に示す様に左右方向に揺動させて散水することができる。即ち、当該散水具１０はその使用目的に応じて、上下方向又は左右方向に揺動させて散水する事のできる散水具１０となっている。
【００３０】
かかる散水具１０は、屋根などからの落雪によって固まった雪や、ブルドーザや除雪機によって積み上げ立てた雪など、散水する水によって雪を効率的に溶かすために使用することができる。当該散水具１０を消雪の用途で使用する場合には、より広い範囲に散水することができるように、左右方向（水平方向）に散水できるように設置するのが望ましい。
【００３１】
また本実施の形態に係る散水具１０は、家庭菜園や園芸ハウスなどにおいて、広範囲な面に効率的に散水する為に使用することができる。即ち、圃場や園芸ハウスなどにおいては、地下水や河川の水を広範囲に散水することも多く、このような場合において本実施の形態に係る散水具１０は、揺動動作によって面方向に広範囲に散水を行うことができる為、農業用又は園芸用の散水装置として利用することができる。その他にも、工場内設備や例えばスプリンクラーなどにおいて、散水幅を帯状にしながらも、これを揺動させることにより広い面積範囲に、効率的に水や農薬その他の液状物を放出する為の器具として使用することができる。特に本実施の形態に係る散水具は、幅広く、均等に、広範囲に散水できる点において有利な効果を発揮することができる。
【００３２】
次に図４を参照しながら、本実施の形態に係る散水具１０の動作及び機構の一例を具体的に説明する。かかる散水具１０は、前述の通り筐体１１の下面に設けられた導水口１２からホースなどの給水管で案内された流水が供給される。そして当該供給される水の圧力を受けて羽根車１４が回転し、回転力を取得することができる。かかる回転力は、図４（Ｂ）に示す様に、第１シャフト１８を介して羽根車１４の裏面に設けられた第１円筒ウォーム１９を回転させる。この第１円筒ウォーム１９は、これに噛み合う第１ウォームホイール２０を回転させ、当該第１ウォームホイール２０によって、第２シャフト２１を回転させる。この第２シャフト２１の他端側には、第２円筒ウォーム２２を設けており、その回転によって当該第２円筒ウォーム２２と噛み合う第２ウォームホイール２３を回動させる。従って導水部に供給される水の勢いは回転力としてこれら動力伝達機構によって伝達される。そして前記第２ウォームホイール２３の回転面の周縁側には揺動ピン２４を突起して設けており、当該揺動ピン２４が揺動杆２５に設けた長孔２６をスライド移動することにより、当該揺動杆２５は第２ウォームホイール２３の回動によって揺動することができ、これによって動力変換機構を構成している。
【００３３】
そして当該動力変換機構において揺動する先端側には、前記羽根車１４を回動させた水を散水する散水ノズル１６を設けており、当該散水ノズル１６には、前記羽根車１４の水をホース２７によって案内している。かかる散水ノズル１６は、本実施の形態では散水ノズル１６の揺動方向に交差する向きの帯状に水を放水するように形成しており、その結果、より広い範囲に均等に散水することができる。
【００３４】
図５は他の実施の形態に係る散水具１０を示しており、特にこの実施の形態に係る散水具１０は分流器１６を揺動させるための機構を簡易に構成したものである。即ち、前記図４に示す実施の形態の散水具１０とは、羽根車１４によって第１シャフト１８を回動させる点は共通しているが、当該第１シャフト１８には第１ギア３１を設け、当該第１ギア３１によって揺動ピン２４を設けた第２ギア３２を回動させる。かかる第１ギア３１と第２ギア３２は回転速度を減じるように歯数が設定されることが望ましい。そして第２ギアに設けた揺動ピン２４は、揺動杆２５に設けた長孔２６をスライド移動することにより、当該揺動杆２５は第２ギア３２の回動によって揺動することができ、これによって動力変換機構を構成している。かかる構成によれば、散水機の内部構造をより簡易なものとすることができる。
【００３５】
なお、前記羽根車１４の回転力を分流器１６の揺動をさせる力に変換する機構は、前記の実施の形態に限定することなく、様々な構造や機構によって実現し得るのは勿論である。
【００３６】
以上のように構成した本実施の形態に係る散水具１０によれば、導水部に供給される水道や地下水などの勢いを利用して羽根車１４を回転させ、この回転力を利用して水の散水方向を揺動させることができる。そして前記動力伝達機構では、ウォームギヤを用いて構成することで回転速度を減速することができ、その後前記揺動杆２５を揺動させていることから、ゆっくりと揺動させながら散水する事のできる散水具１０が実現する。その結果、例えば地下水などを利用して消雪する場合には、消雪効果を一層高めることができる。特に屋根からの落雪や除雪機によって固められた雪などは、非常に硬くなっていることから、融雪自体も困難である。一方で、従前の様にホースによって言った所に水を散布した場合には、一方向に穴が開くだけであることから時間ごとにその散布方向を変えなければならなかった。この点本実施の形態に係る散水具１０によれば、水を散水する分流器１６を揺動させることができる事から、広範囲に水を散布することができ、これにより効率的に融雪を行うことができる。
【産業上の利用可能性】
【００３７】
本考案の移動流体の放出具は、水等の液体やガス等の気体を放出する為に利用することができ、特に水を散水する場合にあっては、消雪用途の他、農業や園芸における散水の用途において利用することができる。
【符号の説明】
【００３８】
１０    散水具
１１    筐体
１１    通り筐体
１２    導水口
１３    通水路
１４    羽根車
１５    後チューブ
１５    チューブ
１６    散水ノズル（分流器）
１７    流出溝
１８    散水アタッチメント
２４    揺動ピン
２５    揺動杆
２６    長孔
２７    ホース
【図１】
0003228290.tif 000003
【図２】
0003228290.tif 000004
【図３】
0003228290.tif 000005
【図４】
0003228290.tif 000006
【図５】
0003228290.tif 000007
【手続補正書】
【提出日】令和2年7月18日(2020.7.18)
【手続補正１】
【補正対象書類名】実用新案登録請求の範囲
【補正対象項目名】全文
【補正方法】変更
【補正の内容】
【実用新案登録請求の範囲】
【請求項１】
移動する流体を放出する為の移動流体の放出具であって、
放出する流体の流動によって回動する回転羽根車やタービン、流体の圧力を受けて傾倒しバネの弾性力によって復元する揺動機構、又はピストンとシリンダーによって構成される往復移動機構からなる動力取得部と、
当該動力取得部の回動、揺動又は往復移動によって揺動する放出ノズルとからなり、
前記動力取得部を回動、揺動又は往復移動させた流体は、前記放出ノズルから放出されることを特徴とする移動流体の放出具。
【請求項２】
前記流体は水であって、
前記動力取得部は、流動水によって回動する回転羽根車である、請求項１に記載の移動流体の放出具。
【請求項３】
更に、前記回転羽根車の回転力を取得する第１シャフトに設けた第１円筒ウォームと、当該第１円筒ウォームと噛み合う第１ウォームホイールが設けられた第２シャフトと、当該第２シャフトに設けられた第２円筒ウォームと、当該第２円筒ウォームと噛み合う第２ウォームホイールとからなる動力伝達機構と、
前記第２ウォームホイールの回転面の周縁側に突起して設けられた揺動ピンと、当該揺動ピンがスライド移動する長孔を備え、当該第２ウォームホイールの回動によって揺動する揺動杆とからなる動力変換機構と、
当該動力変換機構の揺動する先端側に設けられ、前記流動する水を揺動方向に交差する向きの帯状に放出する放出ノズルとからなる、請求項１に記載の移動流体の放出具。
【請求項４】
前記放出ノズルには、流体を放出する放出口の開口面積及び形状を変化させる放出口調整機構が設けられている、請求項１〜３の何れか一項に記載の移動流体の放出具。
【請求項５】
請求項１〜４の何れか一項に記載の移動流体の放出具を用いて形成され、
前記流体としてホース及び／又はパイプからなる管によって供給される水が使用され、
前記移動流体の放出具の動力取得部に対して前記管によって供給される水を案内する水案内部を備えることを特徴とする、消雪用散水具。
【手続補正２】
【補正対象書類名】明細書
【補正対象項目名】００１５
【補正方法】変更
【補正の内容】
【００１５】
より具体的には、前記回転羽根車の回転力を取得する第１シャフトに設けた第１円筒ウォームと、当該第１円筒ウォームと噛み合う第１ウォームホイールが設けられた第２シャフトと、当該第２シャフトに設けられた第２円筒ウォームと、当該第２円筒ウォームと噛み合う第２ウォームホイールとからなる動力伝達機構と、前記第２ウォームホイールの回転面の周縁側に突起して設けられた揺動ピンと、当該揺動ピンがスライド移動する長孔を備え、当該第２ウォームホイールの回動によって揺動する揺動杆とからなる動力変換機構と、当該動力変換機構の揺動する先端側に設けられ、前記流動する水を揺動方向に交差する向きの帯状に放出する放出ノズルとで構成することができる。